(57)【要約】【課題】  木造建築物における耐火柱及び耐火梁の接合構造および接合方法を提供する。【解決手段】  本発明による梁勝ちのラーメン構造を有する木造建築物の耐火梁及び耐火柱の接合構造において、前記耐火梁及び前記耐火柱は、それぞれ荷重支持層と、該荷重支持層を挟んで両側に配置された燃え止まり層とを含み、前記耐火梁と前記耐火柱との接合部において、前記耐火梁と前記耐火柱とが梁勝ちとなるように接合され、接合された前記耐火梁及び前記耐火柱の周囲に複数の燃え止まりユニットが貼付され、前記複数の燃え止まりユニット間の境界面が、前記耐火梁と前記耐火柱との境界面と面一でないことを特徴とする、前記耐火梁及び耐火柱の接合構造を提供する。【選択図】図７
2019196672.tif 000002
【特許請求の範囲】
【請求項１】
梁勝ちのラーメン構造を有する木造建築物の耐火梁及び耐火柱の接合構造であって、
前記耐火梁及び前記耐火柱は、それぞれ荷重支持層と、該荷重支持層を挟んで両側に配置された燃え止まり層とを含み、
前記耐火梁と前記耐火柱との接合部において、前記耐火梁と前記耐火柱とが梁勝ちとなるように接合され、
接合された前記耐火梁及び前記耐火柱の周囲に複数の燃え止まりユニットが貼付され、
前記複数の燃え止まりユニット間の境界面が、前記耐火梁と前記耐火柱との境界面と面一でないことを特徴とする、前記耐火梁及び耐火柱の接合構造。
【請求項２】
前記複数の燃え止まりユニット間の境界面の各々が面一でないことを特徴とする、請求項１に記載の耐火梁及び耐火柱の接合構造。
【請求項３】
少なくとも前記耐火梁の前記荷重支持層が露出する面は、１つ又は複数の燃え止まりユニットによって覆われることを特徴とする、請求項１又は２に記載の耐火梁及び耐火柱の接合構造。
【請求項４】
前記燃え止まりユニットは、１つ若しくは複数の燃え止まり部材及び／又は化粧板を含むことを特徴とする、請求項１〜３のいずれか一項に記載の耐火梁及び耐火柱の接合構造。
【請求項５】
前記燃え止まりユニットの少なくとも１つの端部の外形が、階段状又は傾斜を含む形状であることを特徴とする、請求項１〜４のいずれか一項に記載の耐火梁及び耐火柱の接合構造。
【請求項６】
梁勝ちのラーメン構造を有する木造建築物の耐火梁及び耐火柱の接合方法であって、
前記耐火梁と前記耐火柱との接合部において、前記耐火梁と前記耐火柱とが梁勝ちとなるように接合する工程と、
接合された前記耐火梁及び前記耐火柱の周囲に複数の燃え止まりユニットを貼付する工程とを含み、
前記複数の燃え止まりユニット間の境界面が、前記耐火梁と前記耐火柱との境界面と面一でないことを特徴とする、前記耐火梁及び耐火柱の接合方法。
【発明の詳細な説明】
【技術分野】
【０００１】
本発明は、木造建築物における柱及び梁の接合構造および接合方法に関し、特に、梁勝ちの耐火柱及び耐火梁の接合構造および接合方法に関するものである。
【背景技術】
【０００２】
近年、木のぬくもりを感じられる木造住宅や木造施設等の木造建築物への期待が高まっている。木はコンクリート等に比べ触れたときに体温を奪いにくく、ぬくもりを感じやすいため、木造建築物は人に安らぎを与え、温かく優しい印象をもたらす。そのため、一般住宅はもとより、保育施設、教育施設、介護施設、各種公共施設や娯楽施設、職場施設等、あらゆる住宅や施設において、木造建築物を採用することへのニーズが高まっている。
【０００３】
一方、従来の木造建築物においては、例えば図１Ａに示す木造建築物の躯体構造のように、柱勝ちのラーメン構造を有するものが主流であった。このような柱勝ちのラーメン構造においては、柱の位置が限定されるため、間取り等の設計の自由度が制限されていた。
【０００４】
これに対し、間取り等のデザイン性に優れた木造建築物を実現するため、梁勝ちのラーメン構造が採用されるようになった。梁勝ちのラーメン構造においては、例えば、図１Ｂに示すように、柱を設置する位置の自由度が高まる。柱を設置する位置の自由度が高まると、柱と柱との間に広い空間を設けることができ、デザイン性に優れた木造建築物を実現することができる。また、梁勝ちのラーメン構造において、中断面や大断面の構造用集成材を柱に採用することにより、優れた耐震性を確保しながら、設計の自由度を高めることができる。
【０００５】
このような梁勝ちのラーメン構造を有する木造建築物、及び従来の柱勝ちのラーメン構造を有する木造建築物のいずれにおいても、耐火性を確保することは防災の観点から非常に重要な課題の一つである。特に、柱と梁の接合部において耐火性を確保することは、火災時に火が上下階間や隣接する部屋間に燃え進むことを回避するために重要である。
【０００６】
従来の柱勝ちのラーメン構造における柱と梁の接合部の耐火性を確保するための技術について、例えば、特許文献１は、柱勝ちのラーメン構造において、柱に燃え止まり層を構成する燃え止まり部材が露出する凹部を設け、梁の燃え止まり部材が、柱の凹部から露出された燃え止まり部材に当接されて梁と柱とが接合される接合構造を開示している。特許文献１では、梁の端部からは、燃え止まり層を構成する燃え止まり部材が柱の燃えしろ厚さ分だけ、梁の燃えしろ層より突出され、凹部には梁の突出された燃え止まり部材と荷重支持層を構成する荷重支持部材とが挿入される。このように、柱の燃え止まり層と梁の燃え止まり層とが縁切りされない構造とすることにより梁の荷重支持層への延焼を防止している。しかしながら、特許文献１は、柱勝ちのラーメン構造を想定しており、梁勝ちのラーメン構造に関するものではない。
【０００７】
一方、特許文献２では、梁勝ちのラーメン構造において、梁を大スパン化するために、木質柱の柱側荷重支持部の頭部に梁側荷重支持部が載せられて接合された跳ね出し梁である第一木質梁に、第二木質梁を接合することを開示している。特許文献２では、梁及び柱のいずれについても、モルタルバーが埋設された燃止層が荷重支持部の外側に荷重支持部を取り囲むように設けられ、燃代層が燃止層の外側に燃止層を取り囲むように設けられている。しかしながら、特許文献２では、梁の大スパン化を目的とするものであり、梁と柱の接合部における耐火性についての工夫を開示するものではない。
【先行技術文献】
【特許文献】
【０００８】
【特許文献１】特許第４８４８２１３号明細書
【特許文献２】特開２０１５−１７５１１９号公報
【発明の概要】
【発明が解決しようとする課題】
【０００９】
特許文献１のように、柱勝ちのラーメン構造においては、梁の木口面は常に柱と接触することとなり、梁の木口面の全体が露出することはなかった。そのため、梁の木口面に対する耐火構造については、柱と梁の接合部への熱進入に対して隙間を塞ぐ等の手当てをするのみで足りることが一般的であった。これに対し、梁勝ちのラーメン構造においては、梁の木口面の全体が露出する部分が存在することとなり、柱と梁の接合部の隙間に対する手当てだけでなく、梁の木口面の全体が露出する部分に対しても、より効果的に耐火性を確保することが望まれる。しかしながら、例えば特許文献２は、梁勝ちのラーメン構造に関するものであるが、特に、梁の端部の木口面の全体が露出する部分に対して耐火性を高めることに着目したものではなかった。したがって、梁勝ちのラーメン構造を有する木造建築物に特有の新たな課題として、梁の木口面、特に、木口面の全体が露出する部分に対する耐火性を高める構造が必要となった。
【００１０】
そこで、本発明は、上記課題を解決し、梁勝ちのラーメン構造を有する木造建築物において、梁の木口面に対し有効に耐火性を確保する耐火柱及び耐火梁の接合構造および接合方法を提供するものである。特に、耐火梁の木口面の全体が露出する部分に対して、梁の木口面の全体を燃え止まりユニットで被覆し、梁の木口面に対しより効果的に耐火性を確保する耐火柱及び耐火梁の接合構造および接合方法を提供するものである。
【課題を解決するための手段】
【００１１】
上記課題を解決するため、本発明では、梁勝ちのラーメン構造を有する木造建築物の耐火梁及び耐火柱の接合構造であって、前記耐火梁及び前記耐火柱は、それぞれ荷重支持層と、該荷重支持層を挟んで両側に配置された燃え止まり層とを含み、前記耐火梁と前記耐火柱との接合部において、前記耐火梁と前記耐火柱とが梁勝ちとなるように接合され、接合された前記耐火梁及び前記耐火柱の周囲に複数の燃え止まりユニットが貼付され、前記複数の燃え止まりユニット間の境界面が、前記耐火梁と前記耐火柱との境界面と面一でないことを特徴とする、前記耐火梁及び耐火柱の接合構造を提供する。
【００１２】
本発明のある態様による耐火柱及び耐火梁の接合構造においては、複数の燃え止まりユニット間の境界面の各々が面一でないことを特徴とする。
【００１３】
本発明のある態様による耐火柱及び耐火梁の接合構造においては、少なくとも前記耐火梁の前記荷重支持層が露出する面は、１つ又は複数の燃え止まりユニットによって覆われることを特徴とする。
【００１４】
本発明のある態様による耐火柱及び耐火梁の接合構造においては、燃え止まりユニットは、１つ若しくは複数の燃え止まり部材及び／又は化粧板を含むことを特徴とする。
【００１５】
本発明のある態様による耐火柱及び耐火梁の接合構造においては、前記燃え止まりユニットの少なくとも１つの端部の外形が、階段状又は傾斜を含む形状であることを特徴とする。
【００１６】
また、本発明では、梁勝ちのラーメン構造を有する木造建築物の耐火梁及び耐火柱の接合方法であって、前記耐火梁と前記耐火柱との接合部において、前記耐火梁と前記耐火柱とが梁勝ちとなるように接合する工程と、接合された前記耐火梁及び前記耐火柱の周囲に複数の燃え止まりユニットを貼付する工程とを含み、前記複数の燃え止まりユニット間の境界面が、前記耐火梁と前記耐火柱との境界面と面一でないことを特徴とする、前記耐火梁及び耐火柱の接合方法を提供する。
【００１７】
本発明において、「耐火柱」とは、耐火構造又は耐火性能を有する柱をいう。本発明において、「耐火梁」とは、耐火構造又は耐火性能を有する梁をいう。「ラーメン構造」とは、長方形等の矩形状に組まれた骨組みにおいて柱と梁の各接合箇所を剛接合した構造のことをいう。
【００１８】
本発明において、「梁勝ち」とは、梁を優先させることをいう。「梁勝ちのラーメン構造」とは、柱と梁のうち、梁を優先させて柱と梁の各接合箇所を剛接合した構造をいい、柱の上に梁を載置した構造をいう。「柱勝ち」とは、柱を優先させることをいう。「柱勝ちのラーメン構造」とは、柱と梁のうち、柱を優先させて柱と梁の各接合箇所を剛接合した構造をいい、柱によって梁が分断され、梁の木口面が柱に接合した構造をいう。
【発明の効果】
【００１９】
本発明によれば、梁勝ちのラーメン構造を有する木造建築物において、梁の木口面、特に、耐火梁の木口面の全体が露出する部分に対しより効果的に耐火性を確保する耐火柱及び耐火梁の接合構造および接合方法を提供することにより、木造建築物全体の耐火性を更に向上させるという効果を奏する。
【００２０】
本発明によれば、梁勝ちのラーメン構造を有する木造建築物において、耐火梁の木口面、特に、耐火梁の木口面の全体が露出する部分に対して、耐火梁の木口面の全体を燃え止まりユニットで被覆する構造により、より効果的に耐火性を確保することができる。
【００２１】
また、本発明によれば、梁勝ちのラーメン構造を有する木造建築物において、耐火梁と耐火柱の接合部において、燃え止まりユニットの境界面と、耐火梁及び耐火柱の境界面とが面一でない構造とすることにより、より効果的に耐火性を確保することができる。
【００２２】
また、本発明によれば、梁勝ちのラーメン構造を有する木造建築物において、耐火梁と耐火柱の接合部において、燃え止まりユニット同士の境界面が面一でない構造とすることにより、より効果的に耐火性を確保することができる。
本発明の他の目的、特徴および利点は添付図面に関する以下の本発明の実施例の記載から明らかになるであろう。
【図面の簡単な説明】
【００２３】
【図１Ａ】図１Ａは、従来の柱勝ちの柱及び梁の接合構造を有する木造建築物の構造躯体を示す図である。
【図１Ｂ】図１Ｂは，本発明が好適に用いられる梁勝ちの耐火柱及び耐火梁の接合構造を有する木造建築物の構造躯体を示す図である。
【図２】図２は、本発明が好適に用いられる梁勝ちの耐火柱及び耐火梁の接合構造を有する木造建築物の構造躯体を示す斜視図である。
【図３】図３は、木造建築物において本発明による耐火柱及び耐火梁の接合構造が好適に用いられる箇所の一例を示した図である。
【図４】図４は、本発明による耐火梁と耐火柱の接合構造を分解して示した斜視図である。
【図５】図５は、図４の本発明による耐火梁と耐火柱の接合構造についての断面図又は所定の方向から見た図である。
【図６】図６は、燃え止まりユニットが貼付された耐火梁と耐火柱の接合構造の一例である。
【図７】図７は、燃え止まりユニットが貼付された好適な耐火梁と耐火柱の接合構造の一例である。
【図８Ａ】図８Ａは、本発明による燃え止まりユニットの一例を示す図である。
【図８Ｂ】図８Ｂは、本発明による燃え止まりユニットの他の一例を示す図である。
【図８Ｃ】図８Ｃは、本発明による燃え止まりユニットの他の一例を示す図である。
【図８Ｄ】図８Ｄは、本発明による燃え止まりユニットの他の一例を示す図である。
【図８Ｅ】図８Ｅは、本発明による燃え止まりユニットの他の一例を示す図である。
【図８Ｆ】図８Ｆは、本発明による燃え止まりユニットの他の一例を示す図である。
【発明を実施するための形態】
【実施例１】
【００２４】
図２は、本発明が好適に用いられる梁勝ちの耐火柱及び耐火梁の接合構造を有する木造建築物の構造躯体を示す斜視図である。
図２の構造躯体は、木製の耐火梁及び木製の耐火柱を組み合わせて構成され、梁勝ちのラーメン構造を有している。ここで、ラーメン構造とは、図２のように、長方形等の矩形状に組まれた骨組みにおいて柱と梁の各接合箇所を剛接合した構造のことをいう。梁勝ちのラーメン構造とは、柱と梁のうち、梁を優先させて柱と梁の各接合箇所を剛接合した構造をいい、図１Ｂや図２のように、柱の上に梁を載置した構造をいう。
【００２５】
図３は、木造建築物において本発明による耐火柱及び耐火梁の接合構造が好適に用いられる箇所の一例を示した図である。
図３の（ａ）は、木造建築物のラーメン構造の一例を模式的に示している。図３の（ｂ）は、図３の（ａ）のラーメン構造のうち、斜線で示した部分の断面を示している。図３の（ｃ）は、図３の（ｂ）の丸Ｐで示した梁と柱の接合部を拡大したものである。
図３の（ｂ）の丸Ｐで示した部分及び図３の（ｃ）においては、柱の上に梁が載置され、その梁の上に柱が載置されており、梁と柱の接合部が梁勝ちの構造になっていることが分かる。本発明は、このような梁勝ちのラーメン構造の梁と柱との接合部の接合構造に係るものである。
【００２６】
図３の（ｂ）又は（ｃ）を参照すると、梁の木口面が露出していることが分かる。このように梁の木口面、特に、梁の木口面の全体が露出する構造において耐火性能を向上するために、本発明は特に有用である。図１Ａに示されるような従来の柱勝ちのラーメン構造においては、図３の（ｂ）又は（ｃ）のような梁の木口面の全体が露出した部分は存在せず、梁の木口面に対する耐火構造については、柱と梁の接合部への熱進入に対して隙間を塞ぐ等の手当てをするのみで足りるものであった。これに対し、本発明は、梁勝ちのラーメン構造を有する木造建築物を前提として、図３の（ｂ）や（ｃ）に示されるような梁の木口面、特に、梁の木口面の全体が露出した部分における耐火性能を向上させるものである。
【００２７】
図４は、本発明による耐火梁３０と耐火柱２０の接合構造を分解して示した斜視図である。
本発明による梁勝ちのラーメン構造を有する木造建築物の耐火梁３０及び耐火柱２０の接合構造において、耐火梁３０及び耐火柱２０は、それぞれ荷重支持層３１、２１と、荷重支持層３１、２１を挟んで両側に配置された燃え止まり層３２、２２とを含み、耐火梁３０と耐火柱２０との接合部において、耐火梁３０と耐火柱２０とが梁勝ちとなるように接合され、接合された耐火梁３０及び耐火柱２０の周囲に複数の燃え止まりユニット４０が貼付される。複数の燃え止まりユニット４０は、例えば接着剤等の任意の接着手段により耐火梁３０及び耐火柱２０の周囲に貼り付けられる。
【００２８】
図４の（ａ）は、本発明による耐火柱２０の上端部分を示している。本発明による耐火柱２０は、荷重支持層２１と、荷重支持層２１を挟んで両側に配置された燃え止まり層２２とを含む。耐火柱２０の荷重支持層２１は、好ましくは木製の角材であり、例えばカラマツ、オウシュウアカマツ、ヒノキ、スギ、又はスプルース等の集成材であることが好ましい。
【００２９】
また、耐火柱２０の燃え止まり層２２は、好ましくは木製の角材であり、例えばカラマツ、ダフリカカラマツ、ベイマツ、エゾマツ、トドマツ、オウシュウアカマツ、ヒノキ、スプルース、若しくはスギの集成材、製材、又は単板積層材を用いて形成されていることが好ましい。
【００３０】
図４の（ｂ）は、本発明による耐火梁３０と図４の（ａ）の耐火柱２０の上端部分とが、梁勝ちに接合する部分を示している。耐火柱２０の上には、耐火梁３０が載置される。図４の（ｂ）では、図４の（ａ）の荷重支持層２１と燃え止まり層２２とが接合されて耐火柱２０を形成している。図４の（ｂ）に示す耐火梁３０も同様に、荷重支持層３１と、荷重支持層３１を挟んで両側に配置された燃え止まり層３２とを含み、荷重支持層３１と燃え止まり層３２とが接合されて耐火梁３０を形成している。
【００３１】
耐火梁３０の荷重支持層３１は、好ましくは木製の角材であり、例えばカラマツ、オウシュウアカマツ、ヒノキ、スギ、又はスプルース等の集成材であることが好ましい。耐火柱２０の荷重支持層２１の材質と、耐火梁３０の荷重支持層３１の材質は、好ましくは同一であるが、異なるものを使用してもよい。
【００３２】
また、耐火梁３０の燃え止まり層３２は、好ましくは木製の角材であり、例えばカラマツ、ダフリカカラマツ、ベイマツ、エゾマツ、トドマツ、オウシュウアカマツ、ヒノキ、スプルース、若しくはスギの集成材、製材、又は単板積層材を用いて形成されていることが好ましい。耐火柱２０の燃え止まり層２２の材質と、耐火梁３０の燃え止まり層３２の材質は、好ましくは同一であるが、異なるものを使用してもよい。
【００３３】
図４の（ｂ）において、耐火柱２０の荷重支持層２１が露出する面には、燃え止まりユニット４０が貼付されている。同様に、耐火梁３０の荷重支持層３１が露出する面に、燃え止まりユニット４０が貼付されている。即ち、接合された耐火梁３０及び耐火柱２０の外側、即ち、接合された耐火梁３０及び耐火柱２０の周囲を覆うように、複数の燃え止まりユニット４０が貼付されている。これにより、耐火梁３０の木口面の全体が燃え止まりユニット４０で被覆される。
【００３４】
燃え止まりユニット４０は、燃え止まり部材４１と化粧板４２を含む。燃え止まり部材４１は、耐火柱２０の燃え止まり層２２及び耐火梁３０の燃え止まり層３２とは好ましくは異なる材質から成るが、同じ材質のものであってもよい。燃え止まり部材４１は、好ましくは、せっこうボード、強化せっこうボード、ケイ酸カルシウム板、サイディング、モルタル、コンクリート、軽量気泡コンクリート、木片セメント板、難燃木材、グラスウール、ロックウール、フェノールフォーム、鋼板等である。燃え止まりユニット４０は、好ましくは、複数の燃え止まり部材４１を含む。好ましくは、燃え止まりユニット４０は、複数の燃え止まり部材４１が積層されて形成される。
【００３５】
燃え止まりユニット４０の最外層には、化粧板４２が貼付される。化粧板４２は、外観の美しさのために貼付されるものであり、化粧板４２自体は燃え止まり機能を有するものでなくてもよい。化粧板４２は、例えば５ｍｍ〜２０ｍｍ程度の厚さの公知の化粧用の木板材として、好ましくは集成材、製材、合板、単板積層材等を用いて形成することができる。
【００３６】
耐火柱２０の上端には、切り欠き部分５１が設けられ、切り欠き部分５１には、耐火柱２０と耐火梁３０を接合するための接合金具５２が配置される。また、耐火梁３０には、耐火柱２０と耐火梁３０を接合するためのスクリュー部材を収容するための中空穴５３が設けられている。
【００３７】
図５は、図４の本発明による耐火梁３０と耐火柱２０の接合構造についての断面図又は所定の方向から見た図である。
図５の（ａ）は接合後の耐火梁３０及び耐火柱２０に燃え止まりユニット４０を貼付した後、図４のＡ方向から見た図である。図５の（ｂ）はＢ−Ｂ断面における断面図である。図５の（ｃ）は接合後の耐火梁及び耐火柱を図４のＣ方向から見た図である。図５の（ｄ）は接合後の耐火梁及び耐火柱を図４のＤ方向から見た図である。
【００３８】
図５の（ａ）は、接合後の耐火梁３０及び耐火柱２０に燃え止まりユニット４０を貼付した後、図４のＡ方向から見た図であり、耐火梁３０が天井、又は上階の床若しくは上階の耐火柱と接触する面の断面を示している。図５（ａ）に示されるように、耐火梁３０の荷重支持層３１の両側に耐火梁３０の燃え止まり層３２が貼付される。耐火梁３０の木口面には、燃え止まりユニット４０の燃え止まり部材４１が貼付され、燃え止まり部材４１の周囲には、化粧板４２が貼付される。図５（ａ）から分かるように、耐火梁３０の荷重支持層３１は、燃え止まり層３２及び燃え止まり部材４１によって包囲されている。これにより、荷重支持層３１への延焼の広がりを防止することができる。
【００３９】
図５の（ｂ）は、Ｂ−Ｂ断面における断面図であり、耐火梁３０と耐火柱２０とが接合され、耐火梁３０及び耐火柱２０の周囲に複数の燃え止まりユニット４０が貼付された状態を示している。なお、図５の（ｃ）は、耐火梁３０及び耐火柱２０を接合後、耐火柱２０のみに燃え止まりユニット４０が貼付され、耐火梁３０には未だ燃え止まりユニット４０が貼付されていない状態を、図４のＣ方向から見た図である。図５の（ｄ）は、耐火梁３０及び耐火柱２０を接合後、耐火梁３０及び耐火柱２０のそれぞれに複数の燃え止まりユニット４０のうちの一部を貼付した状態を、図４のＤ方向から見た図である。
【００４０】
図５の（ｂ）から分かるように、複数の燃え止まりユニット４０間の境界面４３は、耐火梁３０と耐火柱２０との境界面３３と面一でない。即ち、複数の燃え止まりユニット４０間の境界面４３と、耐火梁３０と耐火柱２０との境界面３３とが同一平面上にないように構成されている。このように、部材間の継ぎ目である複数の燃え止まりユニット４０間の境界面４３や耐火梁３０と耐火柱２０との境界面３３に沿って延焼が進んだ場合であっても、これらの境界面３３、４３が同一平面上にないことで、継ぎ目から他の継ぎ目へと延焼が進むことを防止することができる。
【００４１】
また、複数の燃え止まりユニット４０間の境界面４３の各々についても面一でない。図５の（ｂ）の例では、複数の燃え止まりユニット４０間の境界面４３は、階段状であり、面一でない。これにより、複数の燃え止まりユニット４０間の継ぎ目である境界面４３に沿って延焼が進みにくくなる。
【００４２】
図６は、燃え止まりユニットが貼付された耐火梁３０と耐火柱２０の接合構造の一例である。図６は、複数の燃え止まりユニット４０間の境界面４３と、耐火梁３０と耐火柱２０との境界面３３とが面一である場合の例を模式的に示している。なお、図６では、接合金具５２と、接合金具５２を収容する切り欠き部分５１を省略しているが、実際の耐火梁３０と耐火柱２０の接合には、例えば接合金具５２のような接合金具が用いられる。図６の（ａ）は、耐火梁３０と耐火柱２０とが接合される前の状態を示し、図６の（ｂ）は、耐火梁３０と耐火柱２０とが接合された後の状態を示している。図６の（ｂ）の符号Ｓで示した部分を参照すると明らかな通り、図６の（ｂ）の例においては、複数の燃え止まりユニット４０間の境界面４３と、耐火梁３０と耐火柱２０との境界面３３とが面一になっている。
【００４３】
図６の（ｂ）の例においては、複数の燃え止まりユニット４０間の境界面４３と、耐火梁３０と耐火柱２０との境界面３３とが面一になっているため、部材間の継ぎ目である複数の燃え止まりユニット４０間の境界面４３や耐火梁３０と耐火柱２０との境界面３３に沿って延焼が進んだ場合に、継ぎ目から他の継ぎ目へと延焼が進む可能性がある。
【００４４】
これに対し、図７は、燃え止まりユニットが貼付された好適な耐火梁と耐火柱の接合構造の一例であり、複数の燃え止まりユニット４０間の境界面４３と、耐火梁３０と耐火柱２０との境界面３３とが面一でない場合の例を模式的に示している。なお、図７では、接合金具５２と、接合金具５２を収容する切り欠き部分５１を省略しているが、実際の耐火梁３０と耐火柱２０の接合には、例えば接合金具５２のような接合金具が用いられる。図７の（ａ）は、耐火梁３０と耐火柱２０とが接合され、一部の燃え止まりユニット４０のみが貼付され、全ての燃え止まりユニット４０が貼付される前の状態を示している。図７の（ｂ）は、耐火梁３０と耐火柱２０とが接合され、全ての燃え止まりユニット４０が貼付された後の状態を示している。図６の（ｂ）の符号Ｓで示した部分と図７の（ｂ）の符号Ｔで示した部分とを比較すると明らかな通り、図７の（ｂ）の例においては、複数の燃え止まりユニット４０間の境界面４３と、耐火梁３０と耐火柱２０との境界面３３とが面一でない。
【００４５】
図７の（ｂ）の例は、本発明の好ましい形態であり、複数の燃え止まりユニット４０間の境界面４３と、耐火梁３０と耐火柱２０との境界面３３とが面一になっていない。そのため、部材間の継ぎ目である複数の燃え止まりユニット４０間の境界面４３や耐火梁３０と耐火柱２０との境界面３３に沿って延焼が進んだ場合であっても、継ぎ目から他の継ぎ目へと延焼が進むことを防止することができる。この利点は、図６の（ｂ）の符号Ｓで示した部分と図７の（ｂ）の符号Ｔで示した部分とを比較することにより理解されよう。
【００４６】
また、図７の（ｂ）からも明らかな通り、この例においても、複数の燃え止まりユニット４０間の境界面４３の各々についても面一でない。図７の（ｂ）の例では、複数の燃え止まりユニット４０間の境界面４３は、階段状であり、面一でない。これにより、複数の燃え止まりユニット４０間の継ぎ目である境界面４３に沿って延焼が進みにくくなる。
【００４７】
また、図７の（ａ）において、耐火梁３０の木口面Ｋの荷重支持層３１が露出する面は、図７の（ｂ）に示すように、燃え止まりユニット４０によって覆われる。図７の（ｂ）の例においては、耐火梁３０の木口面Ｋの荷重支持層３１が露出する面は、１つの燃え止まりユニット４０によって覆われているが、耐火梁３０の木口面Ｋの荷重支持層３１が露出する面が、複数の燃え止まりユニット４０によって覆われるようにしてもよい。即ち、耐火梁３０の木口面Ｋの部分に、燃え止まりユニット４０間の継ぎ目である１つ又は複数の境界面４３が配置されるようにしてもよい。ただし、燃え止まりユニット４０同士の１つ又は複数の境界面４３は、耐火梁３０と耐火柱２０との境界面３３と接続しないことが望ましい。境界面同士が接続しない構造とすることで、境界面に沿って延焼が進むことを防止することができる。
【００４８】
図８Ａは、本発明による燃え止まりユニット４０の一例を示す図である。
図８Ａの例では、燃え止まりユニット４０は、３層の燃え止まり部材４１と化粧板４２とを含む。各層の燃え止まり部材４１はそれぞれ長さが異なり、この例では、化粧板４２の長さが最も長い。また、３層の燃え止まり部材４１は、化粧板４２から遠ざかるほど長さが短くなるように積層されている。これにより、燃え止まりユニット４０の端部の外形が階段状になっている。図８Ａの例では、燃え止まりユニット４０の両端部の外形が階段状になっているが、これに限られず、燃え止まりユニット４０の一方の端部のみが階段状になっている構成としてもよい。
【００４９】
図８Ｂは、本発明による燃え止まりユニット４０の他の一例を示す図である。
図８Ｂの例では、燃え止まりユニット４０は、２層の燃え止まり部材４１と化粧板４２とを含む。図８Ｂの例においても、各層の燃え止まり部材４１はそれぞれ長さが異なり、化粧板４２の長さが最も長い。また、２層の燃え止まり部材４１は、化粧板４２から遠ざかるほど長さが短くなるように積層されている。これにより、燃え止まりユニット４０の端部の外形が階段状になっている。図８Ｂの例においても、燃え止まりユニット４０の両端部の外形が階段状になっているが、これに限られず、燃え止まりユニット４０の一方の端部のみが階段状になっている構成としてもよい。このように、燃え止まりユニット４０に含まれる燃え止まり部材４１の数は任意の数としてもよい。
【００５０】
図８Ｃは、本発明による燃え止まりユニット４０の他の一例を示す図である。
図８Ｃの例では、燃え止まりユニット４０は、１層の燃え止まり部材４１と化粧板４２とを含む。この例では、燃え止まり部材４１の外形は全体として略台形であり、燃え止まり部材４１の端部は、傾斜を含む形状である。図８Ｃの例では、燃え止まり部材４１の傾斜を含む端部が３つの面により形成されている。図８Ｃの例では、燃え止まりユニット４０の両端部の傾斜を含む形状になっているが、これに限られず、燃え止まりユニット４０の一方の端部のみが傾斜を含む形状になっている構成としてもよい。
【００５１】
図８Ｄは、本発明による燃え止まりユニット４０の他の一例を示す図である。
図８Ｄの例では、燃え止まりユニット４０は、燃え止まり部材４１を含まず、化粧板４２のみを含む。この例では、化粧板４２の外形は全体として略台形であり、化粧板４２の端部は、傾斜を含む形状である。図８Ｄの例では、燃え止まりユニット４０としての化粧板４２の両端部の傾斜を含む形状になっているが、これに限られず、燃え止まりユニット４０としての化粧板４２の一方の端部のみが傾斜を含む形状になっている構成としてもよい。
【００５２】
図８Ｅは、本発明による燃え止まりユニット４０の他の一例を示す図である。
図８Ｅの例では、燃え止まりユニット４０は、１層の燃え止まり部材４１と化粧板４２とを含む。この例では、燃え止まり部材４１の外形は全体として略台形であり、燃え止まり部材４１の端部は、傾斜を含む形状である。図８Ｃの例では、燃え止まり部材４１の傾斜を含む端部が３つの面により形成されているのに対し、図８Ｅの例では、燃え止まり部材４１の傾斜を含む端部が２つの面により形成されている。このように、燃え止まり部材４１の傾斜を含む端部は、面一とならない限り、任意の数の面により形成されるようにしてもよい。また、図８Ｅの例では、燃え止まりユニット４０の両端部の傾斜を含む形状になっているが、これに限られず、燃え止まりユニット４０の一方の端部のみが傾斜を含む形状になっている構成としてもよい。
【００５３】
図８Ｆは、本発明による燃え止まりユニット４０の他の一例を示す図である。
図８Ｆの例では、燃え止まりユニット４０は、燃え止まり部材４１を含まず、化粧板４２のみを含む。この例では、化粧板４２の外形は全体として略台形であり、化粧板４２の端部は、傾斜を含む形状である。図８Ｄの例では、燃え止まり部材４１の傾斜を含む端部が３つの面により形成されているのに対し、図８Ｆの例では、燃え止まり部材４１の傾斜を含む端部が２つの面により形成されている。このように、燃え止まり部材４１の傾斜を含む端部は、面一とならない限り、任意の数の面により形成されるようにしてもよい。また、図８Ｆの例では、燃え止まりユニット４０としての化粧板４２の両端部の傾斜を含む形状になっているが、これに限られず、燃え止まりユニット４０としての化粧板４２の一方の端部のみが傾斜を含む形状になっている構成としてもよい。
【００５４】
本発明による梁勝ちのラーメン構造を有する木造建築物の耐火梁３０及び耐火柱２０の接合方法は、少なくとも耐火梁３０と耐火柱２０との接合部において、耐火梁３０と耐火柱２０とが梁勝ちとなるように接合する工程と、接合された耐火梁３０及び耐火柱２０の周囲に燃え止まりユニット４０を貼付する工程とを含み、複数の燃え止まりユニット４０間の境界面４３が、耐火梁３０と耐火柱２０との境界面３３と面一でないことを特徴とする。
【００５５】
耐火梁３０、耐火柱２０及び燃え止まりユニット４０を組み合わせて本発明による耐火梁３０及び耐火柱２０の接合構造を組み立てる手順は一通りに限られず、最終的に本発明による耐火梁３０及び耐火柱２０の接合構造となればよいが、以下に、好ましい手順の例を示す。
【００５６】
耐火柱２０は、図４の（ａ）に示されるように、耐火柱２０の荷重支持層２１の両側を耐火柱２０の燃え止まり層２２で挟む。耐火梁３０も同様に、耐火梁３０の荷重支持層２１の両側を耐火梁３０の燃え止まり層３２で挟む。耐火柱２０と耐火梁３０とは、梁勝ちとなるように接合される。即ち、耐火柱２０の頭部の上に耐火梁３０を載置するように、耐火柱２０と耐火梁３０とが接合される。
【００５７】
耐火柱２０と耐火梁３０は、好ましくは、耐火柱２０の上端に設けられた切り欠き部分５１に配置された接合金具５２と、中空穴５３に収容されたスクリュー部材（図示せず）に、ボルト（図示せず）及びナット（図示せず）を通して接合される。接合金具５２と、図示しないスクリュー部材、ボルト及びナットの形状や材質等は、特に限定されず、耐火梁３０及び耐火柱２０を接合できるものであればよい。
【００５８】
燃え止まりユニット４０は、好ましくは、図８Ａ〜８Ｃ及び図８Ｅのように、１つ又は複数の燃え止まり部材４１と化粧板４２とを積層して構成するが、図８Ｄ及び８Ｆのように化粧板４２のみで構成してもよい。好ましくは、予め燃え止まりユニット４０を作成した後に、作成した燃え止まりユニット４０を耐火梁３０及び耐火柱２０に貼付する。他の方法として、燃え止まりユニット４０を予め作成せずに、耐火梁３０及び耐火柱２０に燃え止まり部材４１を１層ずつ貼付して、最外層に化粧板４２を貼付するようにしてもよい。予め燃え止まりユニット４０を作成しておくか、燃え止まり部材４１や化粧板４２を１層ずつ貼付するかは、燃え止まりユニット４０を貼付する位置によって変えてもよい。
【００５９】
上記の例では、特に、梁勝ちのラーメン構造の耐火梁３０の端部の木口面について説明したが、梁勝ちのラーメン構造において、耐火梁３０と耐火柱２０が梁勝ちに十字に交差する箇所においても同様に、耐火梁３０及び耐火柱２０に複数の燃え止まりユニット４０を貼付し、複数の燃え止まりユニット４０間の境界面４３が、耐火梁３０と耐火柱２０との境界面３３と面一でないように構成してもよい。
上記記載は実施例についてなされたが、本発明はそれに限らず、本発明の原理と添付の請求の範囲の範囲内で種々の変更および修正をすることができることは当業者に明らかである。
【符号の説明】
【００６０】
２０  耐火柱
２１  耐火柱の荷重支持層
２２  耐火柱の燃え止まり層
３０  耐火梁
３１  耐火梁の荷重支持層
３２  耐火梁の燃え止まり層
３３  境界面
４０  燃え止まりユニット
４１  燃え止まり部材
４２  化粧板
４３  境界面
５１  切り欠き部分
５２  接合金具
５３  中空穴
【図１Ａ】
2019196672.tif 000003
【図１Ｂ】
2019196672.tif 000004
【図２】
2019196672.tif 000005
【図３】
2019196672.tif 000006
【図４】
2019196672.tif 000007
【図５】
2019196672.tif 000008
【図６】
2019196672.tif 000009
【図７】
2019196672.tif 000010
【図８Ａ】
2019196672.tif 000011
【図８Ｂ】
2019196672.tif 000012
【図８Ｃ】
2019196672.tif 000013
【図８Ｄ】
2019196672.tif 000014
【図８Ｅ】
2019196672.tif 000015
【図８Ｆ】
2019196672.tif 000016